(57)【要約】【課題】  前枠及び中枠の開閉を検出することができ、それ自体の組み立ても容易なセンサユニットを提供する。【解決手段】  枠開閉検出用センサユニット10は、検出スイッチ20と、保持部材30と、本体部材40とを、保持部材30の第１，第２ガイド棒36,37を本体部材40の第１，第２ガイド溝48,49に挿入し、捻りバネ60で保持部材30を後方に付勢した状態に組み立てたものである。パチンコ機1への取付は、本体部材40の凹部44を中枠3の支持軸71に引っ掛けた状態で前方から押すことにより、スナップ爪45によって貫通口6の上部のリブ72に係合させるだけでよい。中枠3に取り付けた状態では、保持部材30は、後方に揺動した状態となり、スイッチOFFとなる。外枠2に立ち上がり部35が押され、かつ、前枠5にレバー21が押されるときにスイッチONとなる。【選択図】  図１
2010012310.tif 000002
【特許請求の範囲】
【請求項１】
外郭をなす外枠と、該外枠の前面に開閉可能に設けられ、遊技盤を着脱可能に備えた中枠と、該中枠の前面に開閉可能に設けられ、遊技盤視認用の窓口を形成した前枠と、前記中枠に形成された前後に貫通する貫通口に取り付けられ、前記前枠及び前記中枠が開放されたことを検出するための遊技機用のセンサであって、
押しボタンを有する検出スイッチと、該検出スイッチを固定する保持部材と、該保持部材を揺動可能に支持する本体部材とを有すると共に、さらに、以下の構成をも備えることを特徴とする開閉検出用センサユニット。
（ａ）  前記保持部材の前記本体部材に対する揺動角度を、前記保持部材の揺動端が揺動方向の少なくとも一方については前記本体部材からはみ出し得る範囲内で規制する揺動角度規制部材を備えていること。
（ｂ）  前記保持部材を、前記はみ出す方向に向かって付勢する付勢部材を備えていること。
（ｃ）  前記検出スイッチは、前記はみ出す方向と反対側に押しボタンが向く様に前記保持部材に取り付けられること。
（ｘ）  前記中枠及び前枠を閉じたときに、前記付勢部材に抗して前記保持部材が揺動し、全体が前後方向から前記外枠と前記前枠とで挟まれることによって前記押しボタンが押下された状態となる様に前記貫通口に取り付け得るものであること。
【請求項２】
さらに以下の構成をも備えることを特徴とする請求項１記載の開閉検出用センサユニット。
（ｄ）前記保持部材には、前記検出スイッチの押しボタンと反対側の面を覆う立ち上がり部が形成されていること。
（ｅ）該立ち上がり部の外面は、揺動中心側から揺動端側に向かって前記検出スイッチに近づく様に、傾斜又は湾曲する形状とされていること。
【請求項３】
さらに以下の構成をも備えることを特徴とする請求項１又は２記載の開閉検出用センサユニット。
（ｆ）前記本体部材には、装着対象物に形成した貫通口に対してスナップ係合によって着脱するためのスナップ係合爪が設けられていること。
（ｇ）該スナップ係合爪は、前記本体部材の一方の端部に設けられ、前記本体部材の他方の端部には、前記装着対象物側に設けられた回動用の支持軸又は支持突起を挿入するための孔又は凹部、若しくは前記装着対象物側に設けられた回動用の支持孔又は支持凹部に挿入するための軸又は突起が設けられていること。
（ｈ）前記スナップ係合爪を備える端部は、前記本体部材における前記保持部材の揺動中心側の端部であり、前記孔又は凹部若しくは前記軸又は突起を備える端部は、前記本体部材における前記保持部材の揺動端側の端部であること。
【請求項４】
さらに以下の構成をも備えることを特徴とする請求項１〜３のいずれか記載の開閉検出用センサユニット。
（ｉ）前記本体部材の前記スナップ係合爪を形成した端部の端面、前記スナップ係合爪の前記本体部材側の面、及び該本体部材側の面に形成した突起によって構成され、前記検出スイッチから伸びる信号線を抱え込む信号線抱え込み部が形成されていること。
【請求項５】
さらに以下の構成をも備えることを特徴とする請求項１〜４のいずれか記載の開閉検出用センサユニット。
（ｋ）前記揺動角度規制部材は、前記保持部材の前記本体部材側に設けた突起と、前記本体部材の側面に設けた溝部及び前記保持部材側の面に設けた段部とによって構成されていること。
（ｌ）前記段部と係合し得る突起が、前記付勢部材の付勢力に抗して前記段部を乗り越えさせることによって該段部とスナップ係合する爪部によって構成されていること。
（ｍ）前記溝部が、前記保持部材の揺動中心と同心円状に形成され、前記本体部材を厚さ方向に貫通すると共に該本体部材の側面に開口を有する円弧状の溝によって構成されていること。
（ｎ）前記溝部と係合する突起が、前記円弧状の溝に対して前記側面の開口から挿入し得る棒状部と、該棒状部の先端側に前記円弧状の溝よりもはみ出す様に設けられた張り出し部とによって構成されていること。
【発明の詳細な説明】
【技術分野】
【０００１】
本発明は、ヒンジ開閉式の扉を有する機器の扉の開閉を検出するための技術に係り、特に、パチンコ機、アレンジボール機、雀球機、メダルを用いたスロットマシン、球を用いたスロットマシン等の遊技機に適する。
【背景技術】
【０００２】
遊技機は、外郭をなす外枠に対して遊技盤を備えた中枠が開閉可能に組み付けられ、該中枠に対して遊技盤視認用の窓口を形成した前枠が開閉可能に組み付けられることにより構成されている。そして、不正に施錠が解かれることを防止するため、例えば特許文献１（特開２００２−１０２４８８）に開示されるように、中枠または前枠を開放した場合に、その開放を検出する枠開放検出手段を備えた遊技機があった。
【特許文献１】特開２００２−１０２４８８号公報
【発明の概要】
【発明が解決しようとする課題】
【０００３】
ところが、特許文献１の実施形態５（００２４，００２５，図１５〜図１９）では、中枠（パチンコ機本体）に形成した前後貫通口（透口）内に、検出スイッチ（リミットスイッチ）が回動（揺動）自在に吊り下げボルトによって直接取り付ける構成となっている。このため、遊技機を製造する際の検出スイッチの取付作業が煩わしかったり、検出スイッチの不良や破損した際のメンテナンスがし難かったりして、その取扱いが不便であった。
【０００４】
また、特許文献１の各実施形態では、止めネジを中心として検出スイッチ自体が回動する構成となっているため、ネジを強く締めすぎると回動不良を引き起こし、逆に、ネジを緩く締めるとガタツキや外れを引き起こすという問題がある。
【０００５】
また、特許文献１の各実施形態では、検出スイッチの本体が外枠や前枠等に直接当接する構成となっているため、検出スイッチが破損し易いといった問題も内在していた。
【０００６】
なお、特許文献１に記載された実施形態１〜４（０００６〜００２３，図１〜図１４）では、検出スイッチが左右に揺動する構成となっているので、一つの検出スイッチで前枠及び中枠の開閉状態を検出することはできない。
【０００７】
そこで、本願は、一つの検出スイッチで前枠及び中枠の開閉を検出する上で未解決の問題を解決すべく枠開放検出手段を改良し、取扱いが容易であって検出スイッチの破損を防止し得る枠開放検出手段を備えた遊技機を提供するために、それ自体の組み立ても容易なセンサユニットを提供することをも目的とする。
【課題を解決するための手段】
【０００８】
上記目的の前提となる遊技機は、外郭をなす外枠と、該外枠の前面に開閉可能に設けられ、遊技盤を着脱可能に備えた中枠と、該中枠の前面に開閉可能に設けられ、遊技盤視認用の窓口を形成した前枠と、前記中枠に形成された前後に貫通する貫通口に取り付けられ、前記前枠及び前記中枠が開放されたことを検出する枠開放検出センサとを有し、さらに、以下の構成をも備えるものである。
（Ａ）前記枠開放検出センサは、前記貫通口に対して前後方向からの操作で脱着可能な取付部を形成した本体部材と、押しボタンを有する検出スイッチと、該検出スイッチを保持すると共に、前記本体部材に対して前後方向揺動可能に組み付けられた保持部材とで構成されるセンサユニットにユニット化されていること。
（Ｂ）前記センサユニットは、前記保持部材の揺動端を、前記押しボタンと反対の方向に付勢し、前記中枠の押しボタンと反対側の面からはみ出す位置まで揺動させる付勢部材を備えていること。
（Ｃ）前記センサユニットは、前記中枠及び前枠を閉じたときに、前記付勢部材に抗して前記保持部材が揺動し、全体が前後方向から前記外枠と前記前枠とで挟まれることによって前記押しボタンが押下された状態となる様に前記貫通口に取り付けられていること。
【０００９】
この様な遊技機によれば、検出スイッチを中枠に対して直接取り付けるのではなく、センサユニットを構成する本体部材を中枠の貫通口に対して前後方向からの操作で脱着する様に構成したので、遊技機製造やメンテナンスの際の作業性が良い。また、検出スイッチを保持する保持部材を揺動させる構成としたので、スイッチの動作不良や使用中のガタツキ等を有効に防止することができる。さらに、検出スイッチは前後方向に揺動される構成なので、遊技機製造時に中枠の左右方向に飛び出すということがなく、中枠を持ち運ぶときに作業者の手が触れ難く、運搬や取扱いの際におけるスイッチの損傷を防止することができる。また、保持部材を付勢部材で付勢することによって枠開放時には中枠からはみ出す方向に動作させ、前枠及び中枠が閉じたときに前枠と外枠で挟んで押しボタンを押下した状態とする構成なので、前枠のみが開放されたときはもちろん、前枠は中枠に対して閉じているものの中枠を開放したときにも、開放を検出することができる。
【００１０】
そして、本発明の目的とする開閉検出用センサユニットは、外郭をなす外枠と、該外枠の前面に開閉可能に設けられ、遊技盤を着脱可能に備えた中枠と、該中枠の前面に開閉可能に設けられ、遊技盤視認用の窓口を形成した前枠と、前記中枠に形成された前後に貫通する貫通口に取り付けられ、前記前枠及び前記中枠が開放されたことを検出するためのセンサであって、押しボタンを有する検出スイッチと、該検出スイッチを固定する保持部材と、該保持部材を揺動可能に支持する本体部材とを有すると共に、さらに、以下の構成をも備えることを特徴とする。
（ａ）  前記保持部材の前記本体部材に対する揺動角度を、前記保持部材の揺動端が揺動方向の少なくとも一方については前記本体部材からはみ出し得る範囲内で規制する揺動角度規制部材を備えていること。
（ｂ）  前記保持部材を、前記はみ出す方向に向かって付勢する付勢部材を備えていること。
（ｃ）  前記検出スイッチは、前記はみ出す方向と反対側に押しボタンが向く様に前記保持部材に取り付けられること。
（ｘ）  前記中枠及び前枠を閉じたときに、前記付勢部材に抗して前記保持部材が揺動し、全体が前後方向から前記外枠と前記前枠とで挟まれることによって前記押しボタンが押下された状態となる様に前記貫通口に取り付け得るものであること。
【００１１】
この本発明の開閉検出用センサユニットによれば、「（ａ）揺動角度規制部材」を備えることにより、「（ｂ）付勢部材」によって付勢された状態で保持部材を安定させることができる。よって、センサユニットの輸送や取扱いの際にガタツキ等によって検出スイッチが損傷するということがない。また、（ｃ）の構成を採用したので、例えば遊技機に取り付ける前の状態において検出スイッチの押しボタンは本体部材の外面よりも入り込んだ状態になっており、作業者の手指や周囲の器物等に接触し難く、これによっても検出スイッチの損傷を有効に防止している。
【００１２】
ここで、本発明の開閉検出用センサユニットは、さらに以下の構成をも備える様にするとよい。
（ｄ）前記保持部材には、前記検出スイッチの押しボタンと反対側の面を覆う立ち上がり部が形成されていること。
（ｅ）該立ち上がり部の外面は、揺動中心側から揺動端側に向かって前記検出スイッチに近づく様に、傾斜又は湾曲する形状とされていること。
【００１３】
かかる構成を採用することで、例えば遊技機に組み付けたときに検出スイッチが外枠等に直接当接して傷ついたりすることがなく、また、枠の開閉時における保持部材の揺動動作がスムーズに行われる。
【００１４】
また、本発明の開閉検出用センサユニットは、さらに以下の構成をも備える様にするとよい。
（ｆ）前記本体部材には、装着対象物に形成した貫通口に対してスナップ係合によって着脱するためのスナップ係合爪が設けられていること。
（ｇ）該スナップ係合爪は、前記本体部材の一方の端部に設けられ、前記本体部材の他方の端部には、前記装着対象物側に設けられた回動用の支持軸又は支持突起を挿入するための孔又は凹部、若しくは前記装着対象物側に設けられた回動用の支持孔又は支持凹部に挿入するための軸又は突起が設けられていること。
（ｈ）前記スナップ係合爪を備える端部は、前記本体部材における前記保持部材の揺動中心側の端部であり、前記孔又は凹部若しくは前記軸又は突起を備える端部は、前記本体部材における前記保持部材の揺動端側の端部であること。
【００１５】
かかる構成を採用することで、例えば遊技機に組み付ける際の作業が片手でワンタッチにて実施できる。
【００１６】
また、本発明の開閉検出用センサユニットは、さらに以下の構成をも備える様にするとよい。
（ｉ）前記本体部材の前記スナップ係合爪を形成した端部の端面、前記スナップ係合爪の前記本体部材側の面、及び該本体部材側の面に形成した突起によって構成され、前記検出スイッチから伸びる信号線を抱え込む信号線抱え込み部が形成されていること。
【００１７】
かかる構成を採用することにより、スナップ係合させる際の信号線の挟み込みによる断線を有効に防止することができる。さらに、保持部材が揺動する際に、信号線が該保持部材に引っ掛かって揺動の妨げになる様なことを防止する。
【００１８】
また、本発明の開閉検出用センサユニットは、さらに以下の構成をも備える様にするとよい。
（ｋ）前記揺動角度規制部材は、前記保持部材の前記本体部材側に設けた突起と、前記本体部材の側面に設けた溝部及び前記保持部材側の面に設けた段部とによって構成されていること。
（ｌ）前記段部と係合し得る突起が、前記付勢部材の付勢力に抗して前記段部を乗り越えさせることによって該段部とスナップ係合する爪部によって構成されていること。
（ｍ）前記溝部が、前記保持部材の揺動中心と同心円状に形成され、前記本体部材を厚さ方向に貫通すると共に該本体部材の側面に開口を有する円弧状の溝によって構成されていること。
（ｎ）前記溝部と係合する突起が、前記円弧状の溝に対して前記側面の開口から挿入し得る棒状部と、該棒状部の先端側に前記円弧状の溝よりもはみ出す様に設けられた張り出し部とによって構成されていること。
【００１９】
かかる構成を採用することにより、センサユニットは、本体部材の溝部に対して保持部材の棒状部を挿入し、付勢部材に抗する様に保持部材を回動させることで保持部材の爪部をスナップ係合させるという作業で組み立てることができる。そして、組み立てられた状態においては、保持部材の棒状部の先端の張り出し部が本体部の溝に対して裏から係合するので、付勢部材による強い付勢力が加わっていても保持部材が本体部材から抜け出すということがない。
【発明の効果】
【００２０】
本発明によれば、本体部材、検出スイッチおよび保持部材で構成してユニット化し、本体部材を中枠に対して前後方向からの操作で取り付ける様にしたので、検出スイッチの取付作業が容易になる。また、メンテナンス等の作業も容易になるという効果が発揮される。
【００２１】
スナップ係合爪で係合する構成を採用した場合は、作業性が一層向上し、特に、一端を回動支点とし、他端にスナップ係合爪を備える構成においては、作業性はより一層向上する。
【００２２】
また、揺動範囲を規制する構成を採用することにより、運搬等における振動で検出スイッチが損傷するのを防止できる。
【００２３】
さらに、押しボタンが隠れる方向に付勢する構成においては、組み立て作業や運搬等における押しボタンの損傷を有効に防止することができる。
【００２４】
加えて、保持部材に立ち上がり部を備えさせることで、検出スイッチが外枠等に直に当接することがなく、遊技機の稼働中における検出スイッチの損傷の機会を減少させる。
【００２５】
また、本体部材の溝に保持部材の棒状部を挿入し、保持部材の爪部を本体部材の段部にスナップ係合させて組み立て得る構成を採用したセンサユニットは、組み立て作業が容易であるにも拘わらず、構造的に頑丈で、部品の外れ等を生じ難い。
【図面の簡単な説明】
【００２６】
【図１】実施形態の枠開閉検出用センサユニットを示し、（Ａ）は分解斜視図、（Ｂ）は組み立てられた状態の斜視図である。
【図２】実施形態の枠開閉検出用センサユニットを構成する検出スイッチを示し、（Ａ）は左側面図、（Ｂ）はレバーが開いた状態の正面図、（Ｃ）はレバーが閉じた状態の正面図である。
【図３】実施形態の枠開閉検出用センサユニットを構成する保持部材を示し、（Ａ）は左側面図、（Ｂ）は正面図、（Ｃ）は背面図である。
【図４】実施形態の枠開閉検出用センサユニットを構成する本体部材を示し、（Ａ）は左側面図、（Ｂ）は正面図、（Ｃ）は背面図である。
【図５】実施形態の枠開閉検出用センサユニットを示し、（Ａ）は左側面図、（Ｂ）は正面図、（Ｃ）は保持部材が前方へ揺動された状態の正面図、（Ｄ）は保持部材が前方へ揺動されると共にレバーが後方に揺動された状態の正面図である。
【図６】実施形態のパチンコ機の分解斜視図である。
【図７】実施形態のパチンコ機の中枠に枠開閉検出用センサユニットを取り付ける様子を示す要部の拡大断面図である。
【図８】実施形態のパチンコ機の中枠に枠開閉検出用センサユニットが取り付けられた状態を示し、（Ａ）は要部の断面図、（Ｂ）は要部の背面図である。
【図９】実施形態のパチンコ機を示し、（Ａ）は枠が開いた状態の断面図、（Ｂ）は枠が閉じた状態の断面図である。
【図１０】実施形態のパチンコ機を示し、（Ａ）は前枠を開いた状態の断面図、（Ｂ）は中枠を開いた状態の断面図である。
【発明を実施するための形態】
【００２７】
以下、本発明を具体化した一実施形態のパチンコ機を図１〜図１０に基づき詳細に説明する。まず、本実施形態における枠開閉検出用センサユニットについて、図１〜図５に基づいて説明する。なお、説明における「上・下、左・右、表・裏」とは、図２（Ｂ）〜図５（Ｂ）の正面図を基準とし、「前・後」とは、図１の斜視図を基準とする。この枠開閉検出用センサユニット１０は、図１に示す様に、検出スイッチ２０と、この検出スイッチ２０を固定する保持部材３０と、この保持部材３０を揺動可能に支持する本体部材４０と、保持部材３０を揺動方向に付勢する捻りバネ６０とを組み立ててユニット化したものである。
【００２８】
検出スイッチ２０は、いわゆるヒンジ・レバー形の超小型スイッチであり、図１，図２に示す様に、レバー２１の揺動によって押下される押しボタン２２を有する。この検出スイッチ２０には、押しボタン２２がある側と反対側の面（スイッチ背面）２３の近くに貫通孔２４，２５が形成されている。この貫通孔２４，２５は、検出スイッチ２０を機器等に設置する際に、固定用のネジを挿通するためのものである。また、検出スイッチ２０には信号線２６が接続されており、該信号線２６の先端にはコネクタ２７が装備されている。なお、本実施形態では、検出スイッチ２０として、オムロン製の超小型基本スイッチ（形式番号：ＤＭ３−０１Ｋ１−３）を用いている。
【００２９】
保持部材３０は、プラスチック射出成型品であり、図１（Ａ），図３に示す様に、検出スイッチ２０をセットするための平らな面を有する平板状のベース３１と、このベース３１の上端部の裏面側において垂直に伸びる揺動中心軸３２とを備えている。
【００３０】
ベース３１の表面側には、検出スイッチ２０の上側の貫通孔２４に対応して形成されたネジ止め用の孔３３と、検出スイッチ２０の下側の貫通孔２５に対応して形成された位置決め用の垂直軸３４と、検出スイッチ２０のスイッチ背面２３を覆う様に立ち上がる立ち上がり部３５とが形成されている。この立ち上がり部３５は、図３（Ｂ）に示す様に、上下方向に伸びる垂直部３５ａと、この垂直部３５ａの下端から検出スイッチ２０のスイッチ背面２３側に近付く様に傾斜した傾斜部３５ｂと、これら垂直部３５ａ及び傾斜部３５ｂから検出スイッチ２０の取付側に伸びる水平部３５ｃ〜３５ｅとを備えている。なお、水平部３５ｅは、保持部材３０の下端に位置する。そして、検出スイッチ２０は、垂直軸３４と止めネジによって位置決めされ、保持部材３０に固定される。
【００３１】
また、ベース３１の裏面側には、その上端部分から垂直に伸びる突起としての第１ガイド棒３６と、ネジ止め用の孔３３の直下位置から垂直に伸びる突起としての第２ガイド棒３７が形成されている。上部の第１ガイド棒３６は、下面が円弧状に湾曲する断面形状を呈し、その先端には、上方に向かって張り出すプレート状の張り出し部３６ａが形成されている。中央の第２ガイド棒３７は、円形断面を呈し、その先端には上方に向かって張り出すプレート状の張り出し部３７ａが形成されている。
【００３２】
さらに、ベース３１の下端部には、正面から見たときに左に向かって伸びる爪部としてのスナップ爪３８が形成されている。このスナップ爪３８の先端に形成された直角三角形状の係合突起３８ａは、裏面に向かって突出している。また、ベース３１の正面視における右側上部には、検出スイッチ２０の信号線２６の先端に装備されているコネクタ２７を押さえるために、右へ張り出した後に上方に伸びる形状のコネクタ押さえフック３９が形成されている（図８参照）。
【００３３】
本体部材４０は、プラスチック射出成型品であり、図４（Ｂ），（Ｃ）に示す様に、平板部４１の表面側及び裏面側にそれぞれ垂直に伸びるリブ４２，４３を備えている。表面側のリブ４２は、図１（Ａ）に示す様に、高さの低いものである。一方、裏面側のリブ４３は、平板部４１の縁をほぼ取り巻く様に形成されている。これらリブ４２，４３によって、本体部材４０は十分な強度を有する。
【００３４】
また、本体部材４０の下端部には、上方に向かって切れ込む様に逆Ｕ字状の凹部４４が形成されている。裏面側のリブ４３は、この凹部４４の縁を取り巻く様に形成されている。そして、本体部材４０の上端部には、正面視において右方向に伸びるスナップ係合爪４５が形成されている。このスナップ係合爪４５は、図１（Ａ）に示す様に、表面側のリブ４２の延長として形成されており、平板部４１の上端部の端面に対して約２ｍｍの間隔（空所）をおいて形成されている。スナップ係合爪４５の先端には、上方に飛び出す様に直角三角形状の係合突起４５ａが形成されている。また、スナップ係合爪４５の下面（本体部４０側の面）の中央部には、外側（正面視右側）を傾斜面とした二等辺三角形状の突起４５ｂが突設されている。この突起４５ｂは、スナップ係合爪４５の下面と平板部４１の上端面との間の空所を仕切って、検出スイッチ２０の信号線２６を抱え込むための信号線抱え込み部としての信号線抱え込み空所４６を形成する役割を果たしている（図１（Ａ），（Ｂ）参照）。
【００３５】
さらに、本体部材４０の正面視において左上部の位置に、保持部材３０の揺動中心軸３２を挿通するための揺動中心孔４７が形成されている。揺動中心孔４７の表面側の縁は、リブ４２よりも低いリング状のリブ４７ａが形成されている（図１（Ａ）参照）。また、平板部４１には、厚さ方向に貫通すると共に、正面視において左側面に開口を有する円弧状の溝部としての第１ガイド溝４８が形成されている。この第１ガイド溝４８は、裏面側のリブ４３の外面を利用した摺動面を備えており、揺動中心孔４７の同心円上に位置する。そして、この第１ガイド溝４８に対して右下方の位置に、本体部材４０の正面視において右側面に開口を有する円弧状の溝部としての第２ガイド溝４９が、同じく平板部４１に対して厚さ方向に貫通する様に形成されている。この第２ガイド溝４９は、表面側のリブ４２の外面を利用した摺動面を備えており、揺動中心孔４７の同心円上に位置する。
【００３６】
本体部材４０の平板部４１は、上述の第２ガイド溝４９より下の部分において表面側のリブ４２の表面と面一となる様に途中で段差を持って表面側にずれた平面（持ち上がり面）５０を形成している（図１（Ａ）参照）。上述の凹部４４は、この持ち上がり面５０に形成されている。そして、この持ち上がり面５０には、さらにリブ５１が突設されている。このリブ５１は、凹部４４の正面視右側に伸びる水平部５１ａに続いて上方に伸びる垂直部５１ｂを備えると共に、この垂直部５１ｂに続いて斜めに第２ガイド溝４９の開口から約１／３の位置まで伸びる傾斜部５１ｃと、この傾斜部５１ｃに続いて持ち上がり面５０の上縁を取り巻く上部５１ｄとから構成されている。このリブ５１の傾斜部５１ｃは、本体部材４０に保持部材３０を組み付けたときに、該保持部材３０のスナップ爪３８の先端の係合突起３８ａを係止するための段部を構成している。
【００３７】
さらに、本体部材４０の平板部４１には、揺動中心孔４７に対して正面視右側所定距離の位置に、捻りバネ６０の短い方の腕部６２を係合するためのバネ係合孔５２が形成されている。
【００３８】
捻りバネ６０は、図１（Ａ）に示す様に、巻線部６１から同じ方向にほぼ平行に伸びる短い腕部６２と長い腕部６３とを備えている。巻線部６１は、保持部材３０の揺動中心軸３２を挿入できる直径に鋼線を巻いた部分である。短い腕部６２は、本体部材４０に形成したバネ係合孔５２に挿入できる様に先端をほぼ直角に裏側へ折り曲げてある。また、長い腕部６３は、本体部材４０に捻りバネ６０と保持部材３０とを組み付けたときに、該保持部材３０の裏面に突出する第２ガイド棒３７に達することのできる長さに形成されている。
【００３９】
本実施形態における枠開閉検出用センサユニット１０は、上述した部品（検出スイッチ２０等）を組み立てて形成される。組み立てに当たっては、まず、図１に示す様に、本体部材４０のバネ係合孔５２に、捻りバネ６０の短い腕６２の先端を挿入する。この際、巻線部６１を、本体部材４０の揺動中心孔４７に一致させる。続いて、保持部材３０の下端を右側（後方）に向けた状態にし、揺動中心軸３２を捻りバネ６０の巻線部６１を介して本体部材４０の揺動中心孔４７に挿入する。そして、保持部材３０の第１ガイド棒３６を本体部材４０の第１ガイド溝４８に開口側から挿入する様に保持部材３０の下端を下側に向けて回転させる。このとき、第１ガイド棒３６に捻りバネ６０の長い腕部６３を当接させた（引っ掛けた）状態で、該捻りバネ６０の付勢力に抗して保持部材３０を回転させる。すると、保持部材３０のスナップ爪３８が弾性変形することにより、係合突起３８ａが本体部材４０の持ち上がり面５０に形成されたリブ５１の傾斜部（段部）５１ｃを越えて係合する。このとき、保持部材３０の第２ガイド棒３７は、本体部材４０の第２ガイド溝４９に自然に入り込む。これにより、保持部材３０の下端（揺動端）は、捻りバネ６０によって右側（後方）へと付勢されるが、スナップ爪３８の係合突起３８ａの背面が本体部材４０の段部（傾斜部５１ｃ）に当接することで、揺動角度（範囲）が規制された状態が構成される。また、保持部材３０の第１，第２のガイド棒３６，３７の先端の張り出し部３６ａ，３７ａが、本体部材４０の第１，第２のガイド溝４８，４９の周囲を構成する平板部４１の縁４１ａ，４１ｂに裏面側から引っかかった状態となる。この結果、保持部材３０が本体部材４０に対して揺動可能にしっかりと組み付けられる。なお、張り出し部３６ａ，３７ａが平板部４１の縁に引っ掛かった状態となる結果として、捻りバネ６０の付勢力によって保持部材３０が本体部材４０から脱落するということもない。
【００４０】
次に、検出スイッチ２０を保持部材３０に組み付ける。この際、検出スイッチ２０を、保持部材３０に形成した垂直軸３４が下側の貫通孔２５に挿入される様に位置を合わせ、上側の貫通孔２４から止めネジを挿入し、保持部材３０のネジ止め用の孔３３にねじ込む。このネジを緩めれば、検出スイッチ２０は保持部材から取り外すことができる。検出スイッチ２０は、ネジ１本で止められているだけであるが、垂直軸３４を備えたので、正しい位置に容易に組み付けることができる。
【００４１】
なお、検出スイッチ２０を先に保持部材３０に組み付けてから、保持部材３０と本体部材４０の組付けを行う様にしても構わない。そして最後に、図１（Ｂ）に示す様に、検出スイッチ２０の信号線２６を信号線抱え込み空所４６に抱え込ませて保持しておく様にする。こうしておけば、保持部材３０が揺動する際に、信号線２６が該保持部材３０に引っ掛かって揺動の妨げになる様なことを防止できる。
【００４２】
こうして組み立てられた枠開閉検出用センサユニット１０は、図５（Ｂ）に示す様に、保持部材３０が、捻りバネ６０により付勢されることで、その揺動端（下端）を検出スイッチ２０の押しボタン２２がある側と反対側（スイッチ背面２３側）に所定角度揺動された状態になる。この状態において、保持部材３０の揺動端（水平部３５ｅ）は、本体部材４０の図示右側の面（本体部材４０の背面）からはみ出す様に位置している。また、立ち上がり部３５の傾斜部３５ｂが垂直な状態となる。なお、スナップ爪３８及び傾斜部５１ｃが揺動角度規制部材として構成される。
【００４３】
この枠開閉検出用センサユニット１０の立ち上がり部３５が右側（後方）から押されると、図５（Ｃ）に示す様に、保持部材３０が押しボタン２２のある側（前方）に揺動する。そして、保持部材３０の第１ガイド棒３６が本体部材４０の第１ガイド溝４８の端部に当接することにより、揺動角度（範囲）が規制される。このとき、保持部材３０の第２ガイド棒３７も本体部材４０の第２ガイド溝４９の端部にほぼ当接した状態となる。これにより、検出スイッチ２０の押しボタン２２側の面（検出スイッチ２０の前面）が本体部材４０の図示左側の面（本体部材４０の前面）に対してほぼ面一となる。なお、設計上は、第２ガイド棒３７と第２ガイド溝４９によって上記面一の状態を形成する様にしてもよいし、第１，第２ガイド棒３６，３７と第１，第２ガイド溝４８，４９が共に当接して上記面一の状態を形成する様にしてもよい。第１ガイド棒３６、第２ガイド棒３７、第１ガイド溝４８及び第２ガイド溝４９が、揺動角度規制部材として構成される。
【００４４】
そして、図５（Ｄ）に示す様に、検出スイッチ２０のレバー２１が左側（前方）から押されて右側（後方）に揺動すると、該レバー２１と検出スイッチ２０の前面とがほぼ面一な状態となって押しボタン２２が押し込まれ、これに対応する信号が検出スイッチ２０から出力される。
【００４５】
この様に、本実施形態の枠開閉検出用センサユニット１０は、前方及び後方の両方から押されているときにだけ、押しボタン２２が押し込まれた状態となり、前方及び後方の少なくとも一方の押圧力が加わらないときは、押しボタン２２が飛び出した状態となる。
【００４６】
次に、本実施形態の枠開閉検出用センサユニット１０を備えたパチンコ機について、図６〜図１０に基づいて説明する。なお、説明における「上・下、前・後」とは、図６の斜視図を基準とする。図６に示す様に、本実施形態のパチンコ機１は、外郭をなす外枠２と、外枠２の前面にヒンジ２ａ，３ａによって開閉可能に設けられ、遊技盤を着脱可能に備えた中枠３と、中枠３の前面にヒンジ３ａ，５ａによって開閉可能に設けられ、遊技盤視認用の窓口４を形成した前枠５と、中枠３の前面にヒンジ３ａ，７ａによって開閉可能に設けられた上球皿７と、中枠３の下部に設けられた下球皿８と、中枠３に形成された前後に貫通する貫通口６に取り付けられ、前枠５及び中枠３が開放されたことを検出する枠開放検出手段としての枠開閉検出用センサユニット１０を備えている。
【００４７】
枠開閉検出用センサユニット１０は、上述した通りのもので、機能的に説明すると、貫通口６に対して前後方向からの操作で脱着可能な取付部としてのスナップ係合爪４５及び凹部４４を形成した本体部材４０と、押しボタン２２を有する検出スイッチ２０と、検出スイッチ２０を保持すると共に、本体部材４０に対して前後方向揺動可能に組み付けられた保持部材３０とで構成され、保持部材３０の揺動端を、少なくとも中枠３からはみ出す位置まで揺動させる付勢部材としての捻りバネ６０を備え、中枠３及び前枠５を閉じたときに、保持部材３０が捻りバネ６０の付勢力に抗して揺動し、外枠２と前枠５とで前後から挟まれることによって押しボタン２２が押下された状態となる様に貫通口６に取り付けられている。
【００４８】
枠開閉検出用センサユニット１０を中枠３に取り付ける様子を、図７に基づいて説明する。まず、中枠３の貫通口６の辺りの構造について説明する。図７（Ａ）に示す様に、中枠３に形成した貫通口６には、その開口部分の下端近くに支持軸７１が設けられている。この支持軸７１は、枠開閉検出用センサユニット１０の本体部材４０の下端に形成した凹部４４に挿入できる寸法となっている。また、貫通口６の上縁部分には、後方に延びるリブ７２が形成されている。このリブ７２は、枠開閉検出用センサユニット１０の本体部材４０の上端に設けられたスナップ係合爪４５の係合突起４５ａを係合するための係合部である。このリブ７２の奥行きは、スナップ係合爪４５の係合突起４５ａを係合させたときに、枠開閉検出用センサユニット１０の前面（本体部材４０の前面）が中枠３の前面と面一になる寸法に設計されている（図７（Ｃ）参照）。また、中枠３の遊技盤取付枠７３の側面には、検出スイッチ２０の信号線２６を配線留めするための配線フック７４が追加されている。
【００４９】
枠開閉検出用センサユニット１０を中枠３に取り付ける作業は極めて簡単である。図７（Ｂ）に示す様に、枠開閉検出用センサユニット１０側の凹部４４を中枠３側の支持軸７１に前側斜め上方から引っ掛ける（嵌合させる）様にした後、枠開閉検出用センサユニット１０の上部を後方に押すだけである。これにより、支持軸７１（凹部４４）を支点に枠開閉検出用センサユニット１０が回動すると共に、スナップ係合爪４５が貫通口６の上縁に当接して弾性変形し、該スナップ係合爪４５の係合突起４５ａがリブ７２の後端にスナップ係合する。スナップ係合した状態を図７（Ｃ）に示す。なお、中枠３の背面側から、スナップ係合爪４５の係合突起４５ａを押し下げながら前方に押し出す様にすれば簡単に枠開閉検出用センサユニット１０を取り外すことができる。着脱いずれの操作においても、凹部４４を支持軸７１で下方から支えているので、片手での作業が可能である。
【００５０】
この枠開閉検出用センサユニット１０の組み付けの際、検出スイッチ２０から伸びる信号線２６は、信号線抱え込み空所４６に抱え込まれており、スナップ係合爪４５と貫通口６との間に挟み込み難い構造となっている。従って、組み付け作業において信号線２６が断線するといった故障を生じ難い。また、中枠３に組み付けられた後、図８に示す様に、信号線２６を配線フック７４に掛け留めることにより、該信号線２６のコネクタ２７を中継基板や制御基板に接続し易くなる。また、中枠３を閉じる際に、該中枠３と外枠２との間に信号線２６が挟み込まれることを防止できる。さらに、信号線２６を配線フック７４に掛け回すと共に、保持部材３０の後方上端部分に形成したコネクタ押さえフック３９でコネクタ２７の根元（信号線２６の先端）を押さえることにより、中枠３を運搬したり保管したりするときに、信号線２６が邪魔になることもない。
【００５１】
次に、本実施形態のパチンコ機１における枠開閉検出の様子について説明する。まず、図９に基づいて、中枠３及び前枠５を閉じる状態を説明する。図９（Ａ）に示す様に、中枠３及び前枠５を開いた状態においては、枠開閉検出用センサユニット１０の保持部材３０は後方（外枠２側）に向かって揺動された状態にある。このとき、保持部材３０の立ち上がり部３５を構成する傾斜部３５ｂ及び水平部３５ｅ（保持部材３０の揺動端）は、中枠３の背面からはみ出す様に位置している。この状態から、中枠３を閉じると、最初に、立ち上がり部３５の傾斜部３５ｂが外枠２の前面に当接する。さらに、中枠３を閉じる方向に移動させると、外枠２との当接する部分が傾斜部３５ｂから垂直部３５ａへと変化して、保持部材３０は前方へスムーズに揺動する。そして、中枠３を完全に閉じた状態では、立ち上がり部３５の垂直部３５ａが外枠２と当接していることにより、保持部材３０は、該外枠２との当接が安定的に保たれる。続いて、前枠５を閉じると、図９（Ｂ）に示す様に、検出スイッチ２０のレバー２１が前枠５の背面に押されて後方へ揺動した状態となり、押しボタン２２が押下される。これにより、検出スイッチ２０からはスイッチＯＮの信号が出力される。
【００５２】
次に、前枠５の開閉を検出する様子を示す。図９（Ｂ）の閉じた状態から、前枠５を開くと、図１０（Ａ）に示す様に、レバー２１が前枠５で押されなくなるため、検出スイッチ２０の押しボタン２２がそれ自身の復元力によって突出し、レバー２１が前方へ揺動する。このとき、押しボタン２２は、中枠３の前面からはみ出す様に位置している。これにより、検出スイッチ２０からは、スイッチＯＦＦの信号が出力される。
【００５３】
また、前枠５と共に中枠３を開くと、図１０（Ｂ）に示す様に、立ち上がり部３５が外枠２で押されなくなるため、捻りバネ６０の付勢力によって保持部材３０が後方に揺動し、検出スイッチ２０のレバー２１への押圧力がなくなる。この結果、押しボタン２２が突出してレバー２１が前方へ揺動し、やはり、スイッチＯＦＦの信号が出力される。スイッチＯＦＦの信号が出力された場合、その信号に基づいて制御基板は、発光手段等の報知手段によって中枠３又は（及び）前枠５が開放したことを報知する様に制御する。なお、スイッチＯＮの信号が出力されている間、制御基板は報知手段による報知を行わない様に制御する。
【００５４】
この様に、本実施形態によれば、枠開閉検出手段を、本体部材４０、検出スイッチ２０および保持部材３０で構成してユニット化した枠開閉検出用センサユニット１０を採用し、本体部材４０を中枠３に対して前後方向からの操作で取り付ける様にしたので、検出スイッチ２０の取付作業が容易である。また、メンテナンス等の作業も容易である。
【００５５】
特に、スナップ係合爪４５で係合する構成を採用したので、取付やメンテナンスにおける作業性が一層向上している。しかも、本実施形態は本体部材４０の下端の凹部４４を回動支点として前方から押し込むだけで取付作業を実行できるので、片手でも検出スイッチ２０を取り付けることができるという効果がある。
【００５６】
また、付勢部材である捻りバネ３０、本体部材４０の段部５１ｃ及び保持部材３０のスナップ爪３８で保持部材３０の揺動範囲を規制する構成を採用したので、運搬等における振動で検出スイッチ２０が損傷するのを防止できる。特に、本実施形態においては、押しボタン２１が隠れる方向に付勢しているので、組み立て作業や運搬等の際における押しボタン２１の損傷を有効に防止することができる。
【００５７】
加えて、保持部材３０に立ち上がり部３５を備えさせたので、検出スイッチ２０が外枠２に直に当接することがなく、中枠３の開閉による検出スイッチ２０の損傷の機会を減少させる。
【００５８】
また、本体部材４０のガイド溝４７，４８に保持部材のガイド棒３６，３７を挿入し、保持部材３０のスナップ爪３８を本体部材４０の段部５１ｃにスナップ係合させて組み立て得る構成を採用した本実施形態のセンサユニット１０は、組み立て作業が容易であるにも拘わらず、構造的に頑丈で、部品の外れ等を生じ難い。加えて、ガイド棒３６，３７の先端の張り出し部３６ａ，３７ａがガイド溝４７，４８の縁に裏側から引っ掛かった状態となるので、捻りバネ６０の付勢力で保持部材３０が本体部材４０から脱落するといった問題もなくしている。
【００５９】
以上、発明を実施するための最良の形態としての一実施形態を説明したが、本発明は、これに限定されるものではなく、その要旨を逸脱しない範囲内における種々の変更が可能である。
【００６０】
例えば、捻りバネ６０に代えて、板バネを用いる様にするなど、保持部材に対する付勢部材の種類は限定されない。また、パチンコ機に限らず、アレンジボール機、雀球機、メダルを用いたスロットマシン、球を用いたスロットマシン等の遊技機に適用することもできる。
【符号の説明】
【００６１】
１・・・パチンコ機
２・・・外枠
３・・・中枠
４・・・窓口
５・・・前枠
６・・・貫通口
１０・・・枠開閉検出用センサユニット
２０・・・検出スイッチ、２１・・・レバー、２２・・・押しボタン、２３・・・スイッチ背面、２４，２５・・・貫通孔、２６・・・信号線、２７・・・コネクタ
３０・・・保持部材、３１・・・ベース、３２・・・揺動中心軸、３３・・・ネジ止め用の孔、３４・・・位置決め用の垂直軸、３５・・・立ち上がり部、３５ａ・・・垂直部、３５ｂ・・・傾斜部、３５ｃ〜３５ｅ・・・水平部、３６・・・第１ガイド棒、３６ａ・・・張り出し部、３７・・・第２ガイド棒、３７ａ・・・張り出し部、３８・・・スナップ爪、３８ａ・・・直角三角形状の係合突起、３９・・・コネクタ押さえフック
４０・・・本体部材、４１・・・平板部、４１ａ，４１ｂ・・・平板部の縁、４２・・・表面側のリブ、４３・・裏面側のリブ、４４・・・逆Ｕ字状の凹部、４５・・・スナップ係合爪、４５ａ・・・直角三角形状の係合突起、４５ｂ・・・二等辺三角形状の突起、４６・・・信号線抱え込み空所、４７・・・揺動中心孔、４７ａ・・・リング状のリブ、４８・・・第１ガイド溝、４９・・・第２ガイド溝、５０・・・持ち上がり面、５１・・・リブ、５１ａ・・・水平部、５１ｂ・・・垂直部、５１ｃ・・・傾斜部、５１ｄ・・・上部、５２・・・バネ係合孔
６０・・・捻りバネ、６１・・・巻線部、６２・・・短い腕部、６３・・・長い腕部
７１・・・支持軸
７２・・・リブ
７３・・・遊技盤取付枠
７４・・・配線フック
【図１】
2010012310.tif 000003
【図２】
2010012310.tif 000004
【図３】
2010012310.tif 000005
【図４】
2010012310.tif 000006
【図５】
2010012310.tif 000007
【図６】
2010012310.tif 000008
【図７】
2010012310.tif 000009
【図８】
2010012310.tif 000010
【図９】
2010012310.tif 000011
【図１０】
2010012310.tif 000012